(57)【要約】【課題】胴部の締め付けの調整が可能であるとともに脱着が容易であり、また見栄えがよく、さらに衣服の外側からも目立ちにくい体型補正用コルセットを提供する。【解決手段】本考案に係る体型補正用コルセット１は、体型補正用コルセットであって、右身頃部２および左身頃部３と、前記右身頃部２および前記左身頃部３を左右方向に連結するための連結布帛４と、胴部への緊締力を調節するための締紐５と、前記右身頃部２および前記左身頃部３を着用者の腹部側で開閉可能に係止するための係止手段６とを有し、前記連結布帛４の左右端部が、前記右身頃部２および前記左身頃部３の裏側に、前記右身頃部２および前記左身頃部３を左右方向に離間させた状態で連結するように縫着されており、前記右身頃部２および前記左身頃部３のそれぞれの背部側端部２１ｂ，３１ｂの周辺に、前記締紐５が挿通される複数の紐通穴２７，３７が上下方向に設けられている。【選択図】図１
0003221721.tif 000002
【実用新案登録請求の範囲】
【請求項１】
着用者の胴回りの体型を補正する体型補正用コルセットであって、
右身頃部および左身頃部と、
前記右身頃部および前記左身頃部を左右方向に連結するための連結布帛と、
胴部への緊締力を調節するための締紐と、
前記右身頃部および前記左身頃部を着用者の腹部側で開閉可能に係止するための係止手段とを有し、
前記連結布帛の左右端部が、前記右身頃部および前記左身頃部の裏側に、前記右身頃部および前記左身頃部を左右方向に離間させた状態で連結するように縫着されており、
前記右身頃部および前記左身頃部のそれぞれの背部側端部の周辺に、前記締紐が挿通される複数の紐通穴が上下方向に設けられている体型補正用コルセット。
【請求項２】
前記連結布帛は、前記体型補正用コルセットの表側に表れる第一の生地と前記体型補正用コルセットの裏側に表れる第二の生地とが重ねて構成されており、前記第一の生地と前記第二の生地の左右端部が共に前記右身頃部および前記左身頃部に対して縫着されている請求項１に記載の体型補正用コルセット。
【請求項３】
前記第二の生地は、前記第一の生地よりも高い伸縮性を有する生地からなる請求項２に記載の体型補正用コルセット。
【請求項４】
前記連結布帛の端部が、前記右身頃部および前記左身頃部に設けられた前記複数の紐通穴を左右に跨ぐようにして、前記右身頃部および前記左身頃部に対して縫着されている請求項１から３のいずれかに記載の体型補正用コルセット。
【請求項５】
前記右身頃部および前記左身頃部の略中央下方部には、それぞれ略半円形状の骨盤保護部が設けられており、前記右身頃部および前記左身頃部に、それぞれ骨盤保護用芯材を略半円状に折り曲げて固定し、前記骨盤保護部が膨らみを持つように形成されてなる請求項１から４のいずれかに記載の体型補正用コルセット。
【請求項６】
前記右身頃部および前記左身頃部には、左右方向に所定の間隔でそれぞれ複数のコルセット固定用芯材が固定されており、前記コルセット固定用芯材のうち一部のものは、前記右身頃部および前記左身頃部の上縁付近から下縁付近に達する長さのものが使用されており、前記骨盤保護部の上部に位置する前記コルセット固定用芯材のみ、前記骨盤保護用芯材に当接しない程度の長さのものが使用されている請求項５に記載の体型補正用コルセット。
【請求項７】
前記右身頃部および前記左身頃部の腹部側端部の周辺には、略矩形状であって、右身頃部および左身頃部の上縁付近から下縁付近に達する長さの前面部固定用芯材がそれぞれ配置されている請求項１から６のいずれかに記載の体型補正用コルセット。
【請求項８】
前記係止手段は、左右一対の務歯列を有するスライドファスナーで構成されており、前記スライドファスナーのスライダーがリングスライダーからなる請求項１から７のいずれかに記載の体型補正用コルセット。
【考案の詳細な説明】
【技術分野】
【０００１】
本考案は、体型の補正機能を有する体型補正用コルセットに関するものである。
【背景技術】
【０００２】
従来、体型補正の機能を有する衣服が種々提案されており、例えば実用新案登録第３１５０２５１号公報（特許文献１）には、身生地の両体側部と体後部を含む面に伸縮性生地を張ることによって、ウエスト全体を適度に締め付けて無理な着用感を与えることなく体型を補整することができる体型補整用下着が開示されている。
【０００３】
また、実用新案登録第３１２５８８６号公報（特許文献２）には、ウエスト部の上側および下側を被覆する本体部を有し、締紐により胴部の締付を調節可能とするウエストニッパーが開示されている。
【先行技術文献】
【特許文献】
【０００４】
【特許文献１】実用新案登録第３１５０２５１号公報
【特許文献２】実用新案登録第３１２５８８６号公報
【考案の概要】
【考案が解決しようとする課題】
【０００５】
しかしながら、上記特許文献１に開示された体型補整用下着では、締め付けの調節ができないため、着用者の体型がそもそも限定されるという問題がある。
【０００６】
また、上記特許文献２に開示されたウエストニッパーは、締紐によって胴部の締め付けが調節可能であるが、着用状態では分離部が開いているため、締め紐を着用者の背部側で結ぶ場合、胴部の締め付けによって盛り上がった背肉やウエストニッパーの内側に着ている衣服が外側から見えるため、見栄えが悪いといった問題がある。
【０００７】
一方、締紐によって胴部を締め付けるタイプの体型補正用コルセットには、上記のような締紐の編み上げ部分の裏側に、バックフリップと呼ばれる硬く厚手の略矩形状部材であって、コルセット本体に対して左右の片側のみが縫い込まれているものが存在する。しかしながら、上記バックフリップは硬く厚手であるために、着用時に締紐の編み上げ部分が盛り上がってしまい、コルセットが衣服の外側から目立ってしまうという問題点を有している。
【０００８】
本考案は、このような問題を解決するためになされたものであって、胴部の締め付けの調整が可能であるとともに脱着が容易であり、また見栄えがよく、さらに衣服の外側からも目立ちにくい体型補正用コルセットを提供することを目的としている。
【課題を解決するための手段】
【０００９】
本考案に係る体型補正用コルセットは、着用者の胴回りの体型を補正する体型補正用コルセットであって、右身頃部および左身頃部と、右身頃部および左身頃部を左右方向に連結するための連結布帛と、胴部への緊締力を調節するための締紐と、右身頃部および左身頃部を着用者の腹部側で開閉可能に係止するための係止手段とを有し、連結布帛の左右端部が、右身頃部および左身頃部の裏側に、右身頃部および左身頃部を左右方向に離間させた状態で連結するように縫着されており、右身頃部および左身頃部のそれぞれの背部側端部の周辺に、締紐が挿通される複数の紐通穴が上下方向に設けられている。
【００１０】
また、本考案の一態様として、連結布帛は、体型補正用コルセットの表側に表れる第一の生地と体型補正用コルセットの裏側に表れる第二の生地とが重ねて構成されており、第一の生地と第二の生地の左右端部が共に右身頃部および左身頃部に対して縫着されていることが好ましい。
【００１１】
また、本考案の一態様として、第二の生地は、第一の生地よりも高い伸縮性を有する生地からなることが好ましい。
【００１２】
また、本考案の一態様として、連結布帛の端部が、右身頃部および左身頃部に設けられた複数の紐通穴を左右に跨ぐようにして、右身頃部および左身頃部に対して縫着されていることが好ましい。
【００１３】
また、本考案の一態様として、右身頃部および左身頃部の略中央下方部には、それぞれ略半円形状の骨盤保護部が設けられており、右身頃部および左身頃部に、それぞれ骨盤保護用芯材を略半円状に折り曲げて固定し、骨盤保護部が膨らみを持つように形成されてなることが好ましい。
【００１４】
また、本考案の一態様として、右身頃部および左身頃部には、左右方向に所定の間隔でそれぞれ複数のコルセット固定用芯材が固定されており、コルセット固定用芯材のうち一部のものは、右身頃部および左身頃部の上縁付近から下縁付近に達する長さのものが使用されており、骨盤保護部の上部に位置するコルセット固定用芯材のみ、骨盤保護用芯材に当接しない程度の長さのものが使用されていることが好ましい。
【００１５】
また、本考案の一態様として、右身頃部および左身頃部の腹部側端部の周辺には、略矩形状であって、右身頃部および左身頃部の上縁付近から下縁付近に達する長さの前面部固定用芯材がそれぞれ配置されていることが好ましい。
【００１６】
また、本考案の一態様として、係止手段は、左右一対の務歯列を有するスライドファスナーで構成されており、スライドファスナーのスライダーがリングスライダーからなることが好ましい。
【考案の効果】
【００１７】
本考案の体型補正用コルセットによれば、胴部の締め付けの調整が可能であるとともに脱着が容易であり、また見栄えがよく、さらに衣服の外側からも目立ちにくいという効果を有する。
【図面の簡単な説明】
【００１８】
【図１】本考案に係る体型補正用コルセットの一実施形態を示す正面図である。
【図２】本実施形態における体型補正用コルセットの背面図である。
【図３】本実施形態における体型補正用コルセットの平面図である。
【図４】本実施形態における体型補正用コルセットにおいて、（ａ）左身頃部および（ｂ）右身頃部を示す図である。
【図５】本実施形態における体型補正用コルセットの連結布帛の分解斜視図である。
【図６】本実施形態における締紐の挿通手順（ａ）〜（ｆ）を示す図である。
【図７】本実施形態における体型補正用コルセットの着用状態を示す斜視図である。
【図８】本実施形態における体型補正用コルセットの着用状態を示す背面図である。
【図９】本実施形態の体型補正用コルセットにおいて、異なる締紐の結び方を示す正面図である。
【考案を実施するための形態】
【００１９】
以下、本考案に係る体型補正用コルセットの一実施形態について図面を用いて説明する。
【００２０】
本実施形態に係る体型補正用コルセットは、着用者の胴回りの体型を補正する体型補正用コルセット１であって、図１に示すように、主として、右身頃部２および左身頃部３と、右身頃部２および左身頃部３を左右方向に連結するための連結布帛４と、胴部への緊締力を調節するための締紐５と、右身頃部２および左身頃部３を着用者の腹部側で開閉可能に係止するための係止手段６とから構成されている。以下、本実施形態に係る構成について詳細に説明する。
【００２１】
右身頃部２および左身頃部３は、図１および図２に示すように、表地布帛２１，３１と裏地布帛２２，３２とをそれぞれ貼り合わせてなり、それぞれの腹部側端縁２１ａ，３１ａは背部側端縁２１ｂ，３１ｂよりも長く形成されてなる。なお、本実施形態では、表地布帛２１，３１の素材としてポリエステルを採用することにより、体型補正用コルセットの外側に着用する衣服との摩擦を小さくし、また裏地布帛２２，３２の素材として綿を採用することにより、着用者の素肌にも優しいという利点があるが、これらの素材に限定されるものではない。
【００２２】
つぎに、右身頃部２および左身頃部３の略中央下方部には、図１から図５に示すように、それぞれ略半円形状の骨盤保護部２３，３３が設けられている。右身頃部２および左身頃部３に、図４に示すように、それぞれ骨盤保護用芯材２４，３４を略半円状に折り曲げて固定し、図３および図５に示すように、骨盤保護部２３，３３が膨らみを持つように形成されてなる。このように、骨盤保護部２２，２３が膨らみを持つように形成されていることにより、身体へのフィット感が高く、着用者の骨盤部において痛みや窮屈感なく着用することができる。
【００２３】
また、右身頃部２および左身頃部３には、図４に示すように、左右方向に所定の間隔でそれぞれ９本ずつコルセット固定用芯材２５，３５が固定されている。これらのコルセット固定用芯材２５，３５のうち一部のものは、右身頃部２および左身頃部３の上縁付近から下縁付近に達する長さのものが使用されており、骨盤保護部２３，３３の上部に位置するコルセット固定用芯材２５，３５のみ、骨盤保護用芯材２４，３４に当接しない程度の長さのものが使用されている。このようにすることで、体型補正用コルセット１の固定力を高めつつ、着用者の骨盤を保護することができる。
【００２４】
なお、骨盤保護用芯材２４，３４およびコルセット固定用芯材２５，３５としては、可撓性および弾性を有する金属製のコイルボーンが好適であるが、これに限定されるものではない。また、本実施形態では、骨盤保護用芯材２４，３４およびコルセット固定用芯材２５，３５を右身頃部２および左身頃部３の裏側に配置し、布帛を被せて縫着することにより固定しているが、配置位置や固定方法はこれに限定されず、右身頃部２および左身頃部３の表側に配置してもよいし、その他の固定方法であってもよい。さらに、本実施形態では、右身頃部２および左身頃部３にコルセット固定用芯材２５，３５をそれぞれ９本ずつ使用しているが、本数はこれに限定されるものではない。
【００２５】
さらに、右身頃部２および左身頃部３の腹部側端部２１ａ，３１ａの周辺には、図４に示すように、略矩形状であって、右身頃部２および左身頃部３の上縁付近から下縁付近に達する長さの前面部固定用芯材２６，３６がそれぞれ配置されている。コルセット固定用芯材２５，３５だけでなく、この前面部固定用芯材２６，３６も使用することにより、さらに体型補正用コルセット１の固定力を高めることができる。なお、本実施形態では、表地布帛２１，３１と裏地布帛２２，３２との間に前面部固定用芯材２６，３６を挟み込んで固定しているが、この方法に限定されず、また前面部固定用芯材２６，３６自体を使用しなくともよい。
【００２６】
また、右身頃部２および左身頃部３のそれぞれ背部側端部２１ｂ，３１ｂの周辺には、図１，図２および図４に示すように、締紐５が挿通される複数の紐通穴２７，３７が上下方向に設けられている。なお、本実施形態では、右身頃部２および左身頃部３にそれぞれ８個ずつ紐通穴２７，３７を設けているが、左右で同数であれば、紐通穴２７，３７の個数はこれに限定されない。
【００２７】
つぎに、連結布帛４は、図１，図２および図５に示すように、右身頃部２および左身頃部３を左右方向に連結するための布帛であって、連結布帛４の左右端部が、右身頃部２および左身頃部３の裏側に、右身頃部２および左身頃部３を左右方向に離間させた状態で連結するように縫着されている。本実施形態では、連結布帛４は、図５に示すように、体型補正用コルセット１の表側に表れる第一の生地４１と体型補正用コルセット１の裏側に表れる第二の生地４２とが重ねて構成されており、第一の生地４１と第二の生地４２の左右端部が共に右身頃部２および左身頃部３に対して縫着されている。
【００２８】
本実施形態では、第二の生地４２は、第一の生地４１よりも高い伸縮性を有する生地からなる。このように、異なる伸縮性を有する生地を組み合わせることにより、伸縮性を有しつつ、強度を保つことができる。また、第一の生地４１および第二の生地４２は、いずれも表地布帛２１，３１および裏地布帛２２，３２よりも薄手の布帛からなることが好ましい。これにより、連結布帛４の一部が重なった状態であっても、外側に着用する衣服に響きにくく、外側から目立ちにくいという効果がある。
【００２９】
また、図２に示すように、連結布帛４の左右端部が、右身頃部２および左身頃部３に設けられた複数の紐通穴２７，３７を左右に跨ぐようにして、右身頃部２および左身頃部３に対して縫着されている。こうすることにより、複数の紐通穴２７，３７および締紐５が直接素肌に触れることを防ぎ、体型補正用コルセット１を快適に胴部に着用することできる。
【００３０】
さらに、体型補正用コルセット１の表側に表れる第一の生地４１には、図１および図５に示すように、レース模様が施されてなる。締紐５の編み上げ部分からこのレース模様が見えることにより、体型補正用コルセット１の見栄えがよくなる。
【００３１】
なお、本実施形態では、連結布帛４は第一の生地４１および第二の生地４２の二枚により構成されているが、これに限定されず、一枚の生地からのみ構成されていてもよい。また、本実施形態では、第一の生地４１にレース模様が施されてなるが、レース模様を有さなくともよい。さらに、本実施形態において、第二の生地４２は、第一の生地４１よりも伸縮性が高いものを使用しているが、これに限定されず、同程度の伸縮性を有する生地であってもよい。
【００３２】
つぎに、締紐５は胴部への緊締力を調整するための紐状部材であって、図１および図６（ａ）〜（ｆ）に示すように、右身頃部２および左身頃部３に設けられた紐通穴２７，３７に左右交互に挿通され、結ぶことによって固定される。締紐５は、扁平形状の紐状部材を採用することで、体型補正用コルセット１の上から着用する衣服の外側から体型補正用コルセット１を目立たせないようにすることができるが、締紐５の形状は、扁平形状に限定されるものではない。
【００３３】
つぎに、係止手段６は、図１および図７に示すように、右身頃部２および左身頃部３を着用者の腹部側で開閉可能に係止するためのものであって、本実施形態では、左右一対の務歯列６ａ，６ｂを備えたスライドファスナー６によって構成されている。具体的には、図１に示すように、右身頃部２の腹部側端部２１ａに右方務歯列６ａが設けられ、また左身頃部３の腹部側端部３１ａに左方務歯列６ｂが設けられ、さらに左方務歯列６ｂには、スライダー６ｃが取り付けられている。また、スライダー６ｃはリングスライダーであることが好ましい。これにより体型補正用コルセット１の脱着がさらに容易となる。
【００３４】
なお、本実施形態では、係止手段６がスライドファスナー６によって構成されているが、この構成に限定されるものではない。右身頃部２および左身頃部３を着用者の正面側で開閉可能に係止するためものであれば、係止手段６は面ファスナー、ホックまたはボタン等から構成されていてもよい。
【００３５】
また、左身頃部３の裏側であって、腹部側端部３１ａの周辺には、図２および図５に示すように、略矩形状であって、左身頃部３の上縁付近から下縁付近に達する長さの引込防止布帛片３８がその片側のみ左身頃部３に対して縫着されている。また、この引込防止布帛片３８は、その自由端部３８ａがスライドファスナー６の左方務歯列６ｂよりも外側に延出する長さを有している。引込防止布帛片３８を設けることにより、右方務歯列６ａを左方務歯列６ｂに係合させてスライダー６ｃを引き上げる際、スライドファスナー６に素肌を引き込んだり、内側の衣類を引き込んだりしてしまうことを防止することができる。
【００３６】
つぎに、以上の構成を備えた本実施形態の体型補正用コルセット１の使用方法および作用について図面を参照しつつ説明する。
【００３７】
まず、体型補正用コルセット１を着用する前の準備段階として、例えば図６（ａ）〜（ｆ）に示す手順で、右身頃部２および左身頃部３に設けられた複数の紐通穴２７，３７に、締紐５を順に挿通させ、最下端の紐通穴２７，３７に挿通させた後、締紐５の端部同士を結ぶ。このとき、図６（ｄ）に示すように、上下方向における略中央位置において、締紐５を左右ともに輪状に長めに残しておく。なお、本実施形態では、図６（ａ）〜（ｆ）に示す手順で締紐５を複数の紐通穴２７，３７に挿通させているが、これは一例であって、締紐５によって胴部に緊締力を与えられるものであれば、どのような挿通の仕方でもよい。
【００３８】
つぎに、スライドファスナー６の右方務歯列６ａおよび左方務歯列６ｂを開放した状態で、編み上げられた締紐５が着用者の背部側となるようにして、胴部に巻き付け、着用者の腹部側で右方務歯列６ａを左方務歯列６ｂに係合させてスライダー６ｃを引き上げる（図７）。
【００３９】
そして、着用者の背部側で輪状に長く残しておいた左右の締紐５を同時に左右に引っ張って胴部への緊締力を調節し、締紐５を背部側で結ぶ（図８）。
【００４０】
本実施形態に係る体型補正用コルセット１は、締紐５を引っ張ることで胴部への緊締力を調節し、締紐５を結ぶことでその緊締力が保持されるものである。この締紐５による胴部への緊締力によって、美しいウエストラインに補正される。
【００４１】
一方、締紐５を引っ張る力によって、胴部への緊締力が変わるため、締め付けを調節することができる。このため、着用者は、食事の後や休憩中等のように、締め付けによる負担を少なくしたい場合、手軽に緊締力を調節することが可能となる。
【００４２】
また、本実施形態に係る体型補正用コルセット１は、締紐５の裏側に連結布帛４を有することにより、締紐５によって胴部に緊締力を与えた際、素肌に着用した場合には盛り上がった背肉を外側から隠すことができる。そして、この連結布帛４の第一の生地にはレース模様が施されてなるため、図８に示すように、締紐５の隙間からレース模様が見え、デザイン性が高く見栄えがよい。
【００４３】
さらに、本実施形態において、連結布帛４は、薄手の生地によって構成されており、締紐５の編み上げ部分が盛り上がらないため、体型補正用コルセット１の外側に着用する衣類の上からも目立ちにくい。
【００４４】
また、本実施形態においては、連結布帛４を構成する第一の生地４１および第二の生地４２は伸縮性が異なるため、適度な伸縮性を有しつつ伸縮性の高い生地のみを使用する場合に比べて、繰り返し使用しても傷みにくく、強度を保つことができる。
【００４５】
そして、本実施形態においては、連結布帛４の左右端部が、右身頃部２および左身頃部３に対して縫着されていることにより、着用後に締紐５を引っ張った際に、連結布帛４のズレを防ぐことができる。さらには、連結布帛４の左右端部が、右身頃部２および左身頃部３に形成された複数の紐通穴２７，３７を左右に跨ぐようにして、右身頃部２および左身頃部３に対して縫着されていることにより、複数の紐通穴２７，３７および締紐５が直接素肌に触れることを防ぎ、体型補正用コルセット１を快適に胴部に着用することできる。
【００４６】
以上のように、本考案によれば、以下のような作用効果を奏することができる。
１．美しいウエストラインに補正することができる。
２．胴部の締め付けを調節することができる。
３．素肌に着用した場合、盛り上がった背肉を外側から隠すことができる。
４．デザイン性が高く見栄えが良い。
５．外側に着用する衣類の上からも体型補正用コルセット１が目立ちにくい。
６．繰り返し使用しても、連結布帛４が傷みにくく、強度を保つことができる。
７．素肌に着用した場合、複数の紐通穴２７，３７および締紐５が直接素肌に触れることを防ぎ、快適に胴部に着用することできる。
８．簡単に脱着することができる。
９．身体へのフィット感が高く、骨盤部に痛みや窮屈感なく着用することができる。
【００４７】
なお、本考案に係る体型補正用コルセットは、前述した実施形態に限定されるものではなく、適宜変更することができる。
【００４８】
例えば、本実施形態では、図８に示すように、締紐５は着用者の背部側で結んでいるが、これに限定されず、図９に示すように、着用者の腹部側で結んでもよい。
【符号の説明】
【００４９】
１    体型補正用コルセット
２    右身頃部
３    左身頃部
２１，３１    表地布帛
２１ａ，３１ａ    腹部側端部
２１ｂ，３１ｂ    背部側端部
２２，３２  裏地布帛
２３，３３  骨盤保護部
２４，３４  骨盤保護用芯材
２５，３５  コルセット固定用芯材
２６，３６  前面部固定用芯材
２７，３７  紐通穴
３８  引込防止布帛片
３８ａ  自由端
４    連結布帛
４１  第一の生地
４２  第二の生地
５    締紐
６  締付手段（スライドファスナー）
６ａ    右方務歯列
６ｂ    左方務歯列
６ｃ    スライダー
【図１】
0003221721.tif 000003
【図２】
0003221721.tif 000004
【図３】
0003221721.tif 000005
【図４】
0003221721.tif 000006
【図５】
0003221721.tif 000007
【図６】
0003221721.tif 000008
【図７】
0003221721.tif 000009
【図８】
0003221721.tif 000010
【図９】
0003221721.tif 000011